(57)【要約】      （修正有）【課題】比較的大きな力及び／又はトルクに、好ましくはＸはりの外部寸法を変更する必要なく対処可能なベアリングを有する、リソグラフィ装置用の位置決めデバイスを提供する。【解決手段】オブジェクトサポートを位置決めするオブジェクトサポート位置決めデバイス１は、第１、第２、および第３のスライダのうち少なくとも１つのスライダ内に流体ベアリングが設けられ、流体ベアリングは、少なくとも１つのスライダの摺動方向に垂直である第１の方向に反力を作用させるための複数のベアリング面を含む。【選択図】図２
2010067949.tif 000002
【特許請求の範囲】
【請求項１】
オブジェクトサポートを位置決めする位置決めデバイスであって、
それぞれに対応する第１および第２のスライダが取り付けられた、第１および第２の側ばりと、
前記第１および第２のスライダをそれぞれに対応する側ばりに沿って移動させるように構成された、第１および第２のモータと、
その第１および第２の端部の近傍でそれぞれ前記第１および第２のスライダに取り付けられ、第３のスライダがそこに取り付けられた横ばりであって、前記横ばりと前記第１および第２のスライダが一緒に取り付けられる、横ばりと、
前記オブジェクトサポートを支持する前記第３のスライダを、前記横ばりに沿って長手方向に移動させる第３のモータと、
前記第１、第２、および第３のスライダのうち少なくとも１つのスライダ内の流体ベアリングであって、使用の際に前記少なくとも１つのスライダの摺動方向に実質的に垂直である第１の方向に反力を作用させる複数のベアリング面を備える、流体ベアリングと
を備える、位置決めデバイス。
【請求項２】
前記複数のベアリング面が、互いに実質的に平行に構成される、請求項１に記載のデバイス。
【請求項３】
前記複数のベアリング面のうち２つが、前記第１の方向に互いに離隔して構成される、請求項１に記載のデバイス。
【請求項４】
前記流体ベアリングが、複数のエアベアリング面を備えるエアベアリングである、請求項１に記載のデバイス。
【請求項５】
前記複数のベアリング面が、前記第１の方向に対して斜角で構成される、請求項１に記載のデバイス。
【請求項６】
前記流体ベアリングが、前記第１の方向とは反対の第２の方向に反力を作用させるように構成された１つまたは複数の第２のベアリング面を備える、請求項１に記載のデバイス。
【請求項７】
前記流体ベアリングが、前記第１の方向とは反対の第２の方向に反力を作用させるように構成された複数の第２のベアリング面を備える、請求項１に記載のデバイス。
【請求項８】
前記複数の第２のベアリング面が、前記第２の方向に、互いに実質的に平行に、または互いに離隔して、または互いに実質的に平行にかつ離隔して構成される、請求項７に記載のデバイス。
【請求項９】
前記流体ベアリングが、前記第３のスライダ内に設けられる、請求項１に記載のデバイス。
【請求項１０】
前記流体ベアリングが、前記第１の方向に実質的に垂直である第３の方向に反力を作用させるように構成された１つまたは複数の流体ベアリングを備える、請求項１に記載のデバイス。
【請求項１１】
前記流体ベアリングが、前記第３の方向とは反対の第４の方向に反力を作用させるように構成された１つまたは複数の流体ベアリングを備える、請求項１０に記載のデバイス。
【請求項１２】
前記第１、第２、および第３のスライダのうち前記少なくとも１つのスライダが、少なくとも前記第１の方向に実質的に垂直な方向に延在する２つ以上のベアリングアームを備え、前記２つ以上のベアリングアームがそれぞれ、前記複数のベアリング面の１つを範囲設定する、請求項１に記載のデバイス。
【請求項１３】
前記第１、第２、および第３のスライダのうち前記少なくとも１つのスライダが、少なくとも前記第１の方向に実質的に垂直な方向に延在する４つのベアリングアームを備え、前記４つのベアリングアームがそれぞれ、前記複数のベアリング面の１つを範囲設定する、請求項１に記載のデバイス。
【請求項１４】
前記第１、第２、および第３のスライダのうち前記少なくとも１つのスライダが、少なくとも前記第１の方向に実質的に垂直な方向に延在する４つのベアリングアームを備え、前記４つのベアリングアームがそれぞれ、前記複数のベアリング面の少なくとも１つ、および前記第２のベアリング面の少なくとも１つを範囲設定する、請求項６に記載のデバイス。
【請求項１５】
オブジェクトサポートを位置決めする位置決めデバイスであって、
それぞれに対応する第１および第２のスライダが取り付けられた第１および第２の側ばりと、
前記第１および第２のスライダをそれぞれに対応する側ばりに沿って移動させる第１および第２のモータと、
その第１および第２の端部の近傍でそれぞれ前記第１および第２のスライダに取り付けられ、第３のスライダがそこに取り付けられた横ばりであって、前記横ばりと前記第１および第２のスライダが一緒に取り付けられる、横ばりと、
前記オブジェクトサポートを支持する前記第３のスライダを、前記横ばりに沿って長手方向に移動させる第３のモータと、
前記第１、第２、および第３のスライダのうち少なくとも１つのスライダ内の流体ベアリングであって、使用の際に、前記少なくとも１つのスライダの摺動方向に実質的に垂直な平面内に少なくとも部分的にある第１の回転方向に、反作用トルクを相まって作用させる複数のベアリング面を備える、流体ベアリングと
を備える、位置決めデバイス。
【請求項１６】
前記複数のベアリング面が、互いに実質的に平行に構成される、請求項１５に記載のデバイス。
【請求項１７】
前記複数のベアリング面のうち少なくとも２つが、前記摺動方向に実質的に垂直な方向に互いに離隔して構成される、請求項１５に記載のデバイス。
【請求項１８】
前記流体ベアリングが、複数のエアベアリング面を備えるエアベアリングである、請求項１５に記載のデバイス。
【請求項１９】
前記複数のベアリング面が、前記摺動方向に実質的に垂直な方向に対して斜角で構成される、請求項１５に記載のデバイス。
【請求項２０】
前記流体ベアリングが、使用の際に前記第１の回転方向とは反対の第２の回転方向に反作用トルクを相まって作用させるように構成された、１つまたは複数の第２のベアリング面を備える、請求項１５に記載のデバイス。
【請求項２１】
前記流体ベアリングが、使用の際に前記第１の回転方向とは反対の第２の回転方向に反作用トルクを相まって作用させるように構成された、複数の第２のベアリング面を備える、請求項１５に記載のデバイス。
【請求項２２】
前記複数の第２のベアリング面が、前記摺動方向に実質的に垂直な方向に、互いに平行に、または互いに離隔して、または互いに平行にかつ離隔して構成される、請求項２１に記載のデバイス。
【請求項２３】
前記流体ベアリングが、前記第３のスライダ内に設けられる、請求項１５に記載のデバイス。
【請求項２４】
前記第１、第２、および第３のスライダのうち前記少なくとも１つのスライダが、前記摺動方向に実質的に垂直な前記平面内に延在する２つ以上のベアリングアームを備え、前記２つ以上のベアリングアームがそれぞれ、前記複数のベアリング面の１つを範囲設定する、請求項１５に記載のデバイス。
【請求項２５】
前記第１、第２、および第３のスライダのうち前記少なくとも１つのスライダが、前記摺動方向に実質的に垂直な平面内に延在する４つのベアリングアームを備え、前記４つのベアリングアームがそれぞれ、前記複数のベアリング面の１つを範囲設定する、請求項１に記載のデバイス。
【請求項２６】
前記第１、第２、および第３のスライダのうち前記少なくとも１つのスライダが、前記摺動方向に実質的に垂直な前記平面内に延在する４つのベアリングアームを備え、前記４つのベアリングアームがそれぞれ、前記複数のベアリング面の少なくとも１つ、および前記複数の第２のベアリング面の少なくとも１つを範囲設定する、請求項２１に記載のデバイス。
【請求項２７】
放射ビームの断面内にパターンを付与してパターン付き放射ビームを形成することができるパターニングデバイスを支持する第１のオブジェクトサポートと、
基板を保持する第２のオブジェクトサポートと、
前記パターン付き放射ビームを前記基板のターゲット部分上に投影する投影システムと、
前記オブジェクトサポートのうち少なくとも１つのオブジェクトサポートを位置決めする位置決めデバイスであって、
それぞれに対応する第１および第２のスライダが取り付けられた第１および第２の側ばり、
前記第１および第２のスライダをそれぞれに対応する側ばりに沿って移動させる第１および第２のモータ、
その第１および第２の端部の近傍でそれぞれ前記第１および第２のスライダに取り付けられ、第３のスライダがそこに取り付けられた横ばりであって、前記横ばりと前記第１および第２のスライダが一緒に取り付けられる、横ばり、
前記少なくとも１つのオブジェクトサポートを支持する前記第３のスライダを、前記横ばりに沿って長手方向に移動させる第３のモータ、ならびに
前記第１、第２、および第３のスライダのうち少なくとも１つのスライダ内の流体ベアリングであって、使用の際に前記少なくとも１つのスライダの摺動方向に実質的に垂直である第１の方向に反力を作用させる複数のベアリング面を備える、流体ベアリングと
を備える位置決めデバイスと
を備えるリソグラフィ投影装置。
【発明の詳細な説明】
【技術分野】
【０００１】
[0001]  本発明は、オブジェクトサポート位置決めデバイスおよびリソグラフィ装置に関する。
【背景技術】
【０００２】
[0002]  リソグラフィ装置は、所望のパターンを基板上、通常は基板のターゲット部分上に与える機械である。リソグラフィ装置は、例えば集積回路（ＩＣ）の製造で使用することができる。そのような場合には、マスクまたはレチクルとも呼ばれるパターニングデバイスを使用して、ＩＣの個々の層上に形成すべき回路パターンを生成することができる。このパターンは、基板（例えばシリコンウェーハ）上の（例えば１つまたは複数のダイの一部を含む）ターゲット部分上に転写することができる。パターンの転写は一般に、基板上に設けられた放射感応性材料（レジスト）の層上への結像によるものである。一般に、単一の基板は、連続してパターニングされる、隣接するターゲット部分のネットワークを含む。従来型のリソグラフィ装置には、パターン全体をターゲット部分上に一度に露光することによって各ターゲット部分が照射される、いわゆるステッパと、パターンを放射ビームによって所与の方向（「スキャン」方向）にスキャンしながら、それと同期して基板をその方向と平行に、または反平行にスキャンすることによって、各ターゲット部分が照射される、いわゆるスキャナとがある。パターンを基板上にインプリントすることによって、パターニングデバイスから基板にパターンを転写することも可能である。
【０００３】
[0003]  既知のリソグラフィ装置では、基板テーブル用の位置決めデバイスの駆動ユニットが、Ｙ方向に平行に延在する、位置決めデバイスの基部に固定された固定子、および固定子に沿って可動の並進器（Ｙスライダ）をそのそれぞれが含んだ、２つのリニアＹモータを含むことができる。基部は、リソグラフィデバイスのフレームに固定することができる。駆動ユニットはさらに、Ｘ方向に平行に延在する固定子、および固定子に沿って移動させることができる並進器（Ｘスライダ）を含んだ、リニアＸモータを含むことができる。Ｘモータの固定子は、リニアＹモータの並進器（Ｙスライダ）にそのそれぞれの端部付近で固定されたＸはりに取り付けることができる。したがって、この構成は、２つのＹモータが縦材を形成し、Ｘモータが横材を形成したＨ字状であり、この構成はしばしばＨドライブと呼ばれる。
【０００４】
[0004]  被駆動オブジェクト、この場合には基板テーブルには、いわゆるエアフットを設けることができる。エアフットは、Ｚ方向に直角に延在する基部の案内面全体にわたって可動となるように基板テーブルを案内するように構成されたガスベアリングを含む。
【０００５】
[0005]  リソグラフィ装置では、パターニングデバイス（レチクル）および基板（ウェーハ）をナノメートル精度で位置決めするために使用される加速力に対する機械フレームへの反作用が振動の原因であり、それにより装置の精度が損なわれる。振動の影響を最小限に抑えるために、全ての位置検知デバイスが取り付けられる分離されたメトロロジーフレームを設けて、全ての反力を、装置の残りの部分から分離されたいわゆる力フレームまたは反作用フレームに向けることが可能である。
【０００６】
[0006]  一代替構成では、駆動力に対する反作用が、装置の残りの部分に対して自由に移動する被駆動マスよりも通常重い、バランスマスに向けられる。反力は、バランスマスを加速する際に消費され、装置の残りの部分に大幅に影響を及ぼさない。平面内で３自由度で可動なバランスマスについては、ＷＯ９８／４０７９１、ＷＯ９８／２８６６５、および米国特許第５，８１５，２４６号に記載されている。
【０００７】
[0007]  図６は、従来技術のＸモータ構成の断面を示す。Ｘモータは、Ｘはり１０７、Ｘはり１０７にそれぞれ取り付けられた第１の固定子部１０５ａおよび第２の固定子部１０５ｂを含む固定子、ならびに固定子１０５およびＸはり１０７に沿って、図面の平面に垂直なＸ方向に並進することができる並進器１０６を含む。Ｘはり１０７と並進器１０６との間に、Ｘはりと並進器との間にエアクッションを形成するために、エアベアリング１０８が設けられる。エアベアリングには、固定子１０５と並進器１０６のモータ部１０９との間の引力で、予め張力がかけられる。
【０００８】
[0008]  Ｘはり１０７がＹモータによってｙ方向に加速されるとき、エアベアリング１０８が並進器をｙ方向に押す。エアベアリング１０８があるため、Ｘはり１０７と並進器１０６との間の機械的接触が回避されて、並進器がＸ方向に摺動することができる。
【０００９】
[0009]  しかし、基板ステージの加速度に対する、ますます増大する要求のため、エアベアリングによって対処すべき力および／またはトルクも増大している。しかし、エアベアリングの最大ベアリング面は、Ｘはりの寸法のため限られている。こうしたより大きな力および／またはトルクに対処するために、Ｘはりの寸法、例えば高さを大きくして、可能なより大きなエアベアリング面を組み込むことができる。しかし、Ｘはりの高さを大きくすると、更なるシステム設計に対してかなりの影響が及び、したがってそれは望ましくない。
【発明の概要】
【００１０】
[0010]  比較的大きな力および／またはトルクに、好ましくはＸはりの外部寸法を変更する必要なく対処することができるベアリングを有する、リソグラフィ装置用の位置決めデバイスを提供することが望ましい。
【００１１】
[0011]  本発明の一実施形態によれば、オブジェクトサポートを位置決めするように構築および構成されたオブジェクトサポート位置決めデバイスであって、それぞれに対応する第１および第２のスライダが取り付けられた、第１および第２の側ばりと、第１および第２のスライダをそれぞれに対応する側ばり(side beam)に沿って移動させるように構成された、第１および第２のモータと、その第１および第２の端部の近傍でそれぞれ第１および第２のスライダに取り付けられ、第３のスライダがそこに取り付けられた横ばり(cross beam)であって、横ばりと第１および第２のスライダが一緒に取り付けられる横ばりと、１つのオブジェクトサポートを支持するように適合された第３のスライダを、横ばりに沿って長手方向に移動させるように構成された第３のモータとを含み、第１、第２、および第３のスライダのうち少なくとも１つのスライダ内に流体ベアリング構成が設けられ、流体ベアリング構成が、少なくとも１つのスライダの摺動方向に実質的に垂直である第１の方向に反力を作用させるための複数のベアリング面を含む、オブジェクトサポート位置決めデバイスが提供される。
【００１２】
[0012]  本発明の一実施形態によれば、オブジェクトサポートを位置決めするように構築および構成されたオブジェクトサポート位置決めデバイスであって、それぞれに対応する第１および第２のスライダが取り付けられた、第１および第２の側ばりと、第１および第２のスライダをそれぞれに対応する側ばりに沿って移動させるように構成された、第１および第２のモータと、その第１および第２の端部の近傍でそれぞれ第１および第２のスライダに取り付けられ、第３のスライダがそこに取り付けられた横ばりであって、横ばりと第１および第２のスライダが一緒に取り付けられる横ばりと、１つのオブジェクトサポートを支持するように適合された第３のスライダを、横ばりに沿って長手方向に移動させるように構成された第３のモータとを含み、第１、第２、および第３のスライダのうち少なくとも１つのスライダ内に流体ベアリング構成が設けられ、流体ベアリング構成が、少なくとも１つのスライダの摺動方向に実質的に垂直な平面内に少なくとも部分的にある第１の回転方向に、反作用トルクを相まって作用させるように構成されている複数のベアリング面を含む、オブジェクトサポート位置決めデバイスが提供される。
【００１３】
[0013]  本発明の一実施形態によれば、放射ビームを調整するように構成された照明システムと、放射ビームの断面内にパターンを付与して、パターン付き放射ビームを形成することができるパターニングデバイスを支持する構造になっている第１のオブジェクトサポートと、基板を保持する構造になっている第２のオブジェクトサポートと、パターン付き放射ビームを基板のターゲット部分上に投影するように構成された投影システムと、これらのオブジェクトサポートのうち少なくとも１つのオブジェクトサポートを位置決めするように構築および構成されたオブジェクトサポート位置決めデバイスであって、それぞれに対応する第１および第２のスライダが取り付けられた第１および第２の側ばり、第１および第２のスライダをそれぞれに対応する側ばりに沿って移動させるように構成された、第１および第２のモータ、その第１および第２の端部の近傍でそれぞれ第１および第２のスライダに取り付けられ、第３のスライダがそこに取り付けられた横ばりであって、横ばりと第１および第２のスライダが一緒に取り付けられる横ばり、ならびに１つのオブジェクトサポートを支持するように適合された第３のスライダを、横ばりに沿って長手方向に移動させるように構成された第３のモータを含み、第１、第２、および第３のスライダのうち少なくとも１つのスライダ内に流体ベアリング構成が設けられ、流体ベアリングｇ構成が、少なくとも１つのスライダの摺動方向に実質的に垂直である第１の方向に反力を作用させるための複数のベアリング面を含むオブジェクトサポート位置決めデバイスとを含む、リソグラフィ投影装置が提供される。
【００１４】
[0014]  本発明の一実施形態によれば、放射ビームを調整するように構成された照明システムと、放射ビームの断面内にパターンを付与して、パターン付き放射ビームを形成することができるパターニングデバイスを支持する構造になっている第１のオブジェクトサポートと、基板を保持する構造になっている第２のオブジェクトサポートと、パターン付き放射ビームを基板のターゲット部分上に投影するように構成された投影システムと、これらのオブジェクトサポートのうち少なくとも１つのオブジェクトサポートを位置決めするように構築および構成されたオブジェクトサポート位置決めデバイスであって、それぞれに対応する第１および第２のスライダが取り付けられた第１および第２の側ばり、第１および第２のスライダをそれぞれに対応する側ばりに沿って移動させるように構成された、第１および第２のモータ、その第１および第２の端部の近傍でそれぞれ第１および第２のスライダに取り付けられ、第３のスライダがそこに取り付けられた横ばりであって、横ばりと第１および第２のスライダが一緒に取り付けられる横ばり、ならびに１つのオブジェクトサポートを支持するように適合された第３のスライダを、横ばりに沿って長手方向に移動させるように構成された第３のモータを含み、第１、第２、および第３のスライダのうち少なくとも１つのスライダ内に流体ベアリング構成が設けられ、流体ベアリング構成が、少なくとも１つのスライダの摺動方向に実質的に垂直な平面内に少なくとも部分的にある第１の回転方向に、反作用トルクを相まって作用させるように構成されている複数のベアリング面を含むオブジェクトサポート位置決めデバイスとを含む、リソグラフィ投影装置が提供される。
【図面の簡単な説明】
【００１５】
[0015]  次に、本発明の諸実施形態を、ほんの一例として、対応する参照符号が対応する部分を示す添付の概略図を参照して説明する。
【００１６】
【図１】[0016]本発明の一実施形態によるリソグラフィ装置を示す図である。
【図２】[0017]本発明の一実施形態による位置決めデバイスの上面図である。
【図３】[0018]本発明の一実施形態によるエアベアリング構成を有する、Ｘはり上のＸスライダの断面を示す図である。
【図４】[0019]本発明の一実施形態によるベアリング構成を概略的に示す図である。
【図５】[0020]本発明の一実施形態によるベアリング構成を概略的に示す図である。
【図６】[0021]Ｘはり上のＸスライダの従来技術のエアベアリング構成の断面を示す図である。
【発明を実施するための形態】
【００１７】
[0022]  図１は、本発明の一実施形態によるリソグラフィ装置を概略的に示す。この装置は、放射ビームＢ（例えばＵＶ放射または他の任意の適切な放射）を調整するように構成された照明システム（イルミネータ）ＩＬと、パターニングデバイス（例えばマスク）ＭＡを支持する構造になっており、かついくつかのパラメータに従ってパターニングデバイスを正確に位置決めするように構成された第１の位置決めデバイスＰＭに接続された、パターニングデバイスサポートまたはサポート構造（例えばマスクテーブル）ＭＴとを含む。この装置はまた、基板（例えば、レジストコートウェーハ）Ｗを保持する構造になっており、かついくつかのパラメータに従って基板を正確に位置決めするように構成された第２の位置決めデバイスＰＷに接続された、基板テーブル（例えばウェーハテーブル）ＷＴまたは「基板サポート」も含む。この装置はさらに、パターニングデバイスＭＡによって放射ビームＢに付与されたパターンを、基板Ｗのターゲット部分Ｃ（例えば、１つまたは複数のダイを含む）上に投影するように構成された投影システム（例えば、屈折投影レンズシステム）ＰＳを含む。
【００１８】
[0023]  照明システムは、放射を誘導、整形、または制御するために、屈折タイプ、反射タイプ、磁気タイプ、電磁タイプ、静電タイプ、もしくは他のタイプの光学コンポーネント、またはそれらの任意の組合せなど、さまざまなタイプの光学コンポーネントを含むことができる。
【００１９】
[0024]  パターニングデバイスサポートは、パターニングデバイスの向き、リソグラフィ装置の設計、および例えばパターニングデバイスが真空環境内で保持されるか否かのような他の条件に応じる方式で、パターニングデバイスを保持する。パターニングデバイスサポートは、パターニングデバイスを保持するために、機械的クランプ技法、真空クランプ技法、静電クランプ技法、または他のクランプ技法を使用することができる。パターニングデバイスサポートは、例えばフレームでも、テーブルでもよく、それは必要に応じて固定されても、可動でもよい。パターニングデバイスサポートは、パターニングデバイスが、例えば投影システムに対して所望の位置にあるようにすることができる。本明細書において「レチクル」または「マスク」という用語を使用している場合、より一般的な用語である「パターニングデバイス」と同義語と見なすことができる。
【００２０】
[0025]  本明細書で使用される「パターニングデバイス」という用語は、基板のターゲット部分内にパターンを形成するために、放射ビームの断面内にパターンを付与するのに使用することができる任意のデバイスを指すものとして、広義に解釈すべきである。放射ビームに付与されたパターンは、例えば、パターンが位相シフトフィーチャまたはいわゆるアシストフィーチャを含む場合、基板のターゲット部分内の所望のパターンに厳密に対応しないことがあることに留意されたい。一般には、放射ビームに付与されるパターンは、集積回路など、ターゲット部分内に形成されているデバイス内の、特定の機能層に対応する。
【００２１】
[0026]  パターニングデバイスは、透過型でも、反射型でもよい。パターニングデバイスの例には、マスク、プログラマブルミラーアレイ、およびプログラマブルＬＣＤパネルがある。マスクは、リソグラフィにおいて公知であり、マスクには、バイナリ、レベンソン型（alternating）位相シフト、およびハーフトーン型（attenuated）位相シフトなどのマスクタイプ、ならびにさまざまなハイブリッドマスクタイプがある。プログラマブルミラーアレイの一例は、小型のミラーのマトリックス配列を使用しており、ミラーをそれぞれ、入射する放射ビームをさまざまな方向に反射するように個々に傾動することができる。傾動されたミラーにより、ミラーマトリックスによって反射された放射ビーム内にパターンが付与される。
【００２２】
[0027]  本明細書で使用される「投影システム」という用語は、使用される露光放射に適した、または液浸液の使用もしくは真空の使用など、他の要因に適した、屈折光学システム、反射光学システム、反射屈折光学システム、磁気光学システム、電磁光学システム、および静電光学システム、またはそれらの任意の組合せを含む、任意のタイプの投影システムを包含するものとして、広義に解釈すべきである。本明細書において、「投影レンズ」という用語を使用している場合、より一般的な用語である「投影システム」と同義語と見なすことができる。
【００２３】
[0028]  ここで示したように、この装置は、（例えば、透過マスクを使用する）透過型である。あるいは、装置は、（例えば、上記で言及したタイプのプログラマブルミラーアレイを使用する、または反射マスクを使用する）反射型でもよい。
【００２４】
[0029]  このリソグラフィ装置は、２つ（デュアルステージ）以上の基板テーブルもしくは「基板サポート」（および／または２つ以上のマスクテーブルもしくは「マスクサポート」）を有するタイプのものでもよい。そのような「マルチステージ」の機械では、追加のテーブルまたはサポートを同時に使用しても、１つまたは複数のテーブルまたはサポート上で予備段階を実施している間に、１つまたは複数の他のテーブルまたはサポートを露光に使用してもよい。
【００２５】
[0030]  このリソグラフィ装置は、投影システムと基板の間の空間を埋めるように、基板の少なくとも一部分を、比較的高い屈折率を有する液体、例えば水で覆うことができるタイプのものでもよい。液浸液を、リソグラフィ装置内の他の空間、例えば、マスクと投影システムの間に与えることもできる。液浸技法は、投影システムの開口数を増大させるために使用することができる。本明細書で使用される「液浸」という用語は、基板などの構造が液体中に浸されなければならないことを意味するのではなく、露光中に、液体が投影システムと基板の間にあることを意味するにほかならない。
【００２６】
[0031]  図１を参照すると、イルミネータＩＬが、放射源ＳＯから放射ビームを受け取る。放射源およびリソグラフィ装置は、例えば、放射源がエキシマレーザであるとき、別々のものとすることができる。そのような場合には、放射源は、リソグラフィ装置の一部を形成しているとは見なされず、放射ビームが、例えば適切な誘導ミラーおよび／またはビームエキスパンダを含むビームデリバリシステムＢＤを用いて、放射源ＳＯからイルミネータＩＬに渡される。別の場合には、例えば放射源が水銀ランプであるとき、放射源をリソグラフィ装置の一部とすることができる。放射源ＳＯおよびイルミネータＩＬは、必要ならビームデリバリシステムＢＤと共に、放射システムと呼ぶことができる。
【００２７】
[0032]  イルミネータＩＬは、放射ビームの角度強度分布を調整するように構成されたアジャスタＡＤを含むことができる。一般に、イルミネータの瞳面内の強度分布の、少なくとも外側および／または内側半径範囲（一般に、それぞれσ-outerおよびσ-innerと呼ばれる）を調整することができる。さらに、イルミネータＩＬは、インテグレータＩＮやコンデンサＣＯなど、他のさまざまなコンポーネントを含むことができる。イルミネータは、放射ビームがその断面内に、所望の均一性および強度分布を有するように調整するために使用することができる。
【００２８】
[0033]  放射ビームＢが、パターニングデバイスサポート（例えばマスクテーブル）ＭＴ上に保持されたパターニングデバイス（例えばマスク）ＭＡに入射し、パターニングデバイスによってパターニングされる。放射ビームＢは、パターニングデバイス（例えばマスク）ＭＡを経由して投影システムＰＳを通過し、投影システムＰＳが、ビームを基板Ｗのターゲット部分Ｃ上に合焦させる。第２の位置決めデバイスＰＷおよび位置センサＩＦ（例えば、干渉計デバイス、リニアエンコーダ、または容量センサ）を用いて、例えばさまざまなターゲット部分Ｃを放射ビームＢの経路中に位置決めするように、基板テーブルＷＴを正確に移動させることができる。同様に、第１の位置決めデバイスＰＭおよび（図１には明示的に図示されていない）もう１つの位置センサを使用して、パターニングデバイス（例えばマスク）ＭＡを、例えばマスクライブラリから機械的に取り出した後、またはスキャン中に、放射ビームＢの経路に対して正確に位置決めすることができる。一般に、パターニングデバイスサポート（例えばマスクテーブル）ＭＴの移動は、第１の位置決めデバイスＰＭの一部を形成する、ロングストロークモジュール（粗動位置決め）およびショートストロークモジュール（微動位置決め）を用いて実現することができる。同様に、基板テーブルＷＴまたは「基板サポート」の移動は、第２のポジショナＰＷの一部を形成する、ロングストロークモジュールおよびショートストロークモジュールを使用して実現することができる。（スキャナとは対照的に）ステッパの場合には、パターニングデバイスサポート（例えばマスクテーブル）ＭＴをショートストロークアクチュエータだけに接続してもよく、固定してもよい。パターニングデバイス（例えばマスク）ＭＡおよび基板Ｗは、パターニングデバイスアライメントマークＭ１、Ｍ２、および基板アライメントマークＰ１、Ｐ２を使用して位置合せすることができる。図示の基板アライメントマークは、専用のターゲット部分を占有しているが、ターゲット部分相互間の間隔内に配置することもできる（これは、スクライブラインアライメントマークとして知られる）。同様に、パターニングデバイス（例えばマスク）ＭＡ上に２つ以上のダイが設けられている状況では、パターニングデバイスアライメントマークを、ダイ相互間に配置することができる。
【００２９】
[0034]  図示の装置は、以下のモードのうち少なくとも１つのモードで使用することができる。
【００３０】
[0035]  １．ステップモードでは、パターニングデバイスサポート（例えばマスクテーブル）ＭＴまたは「マスクサポート」、および基板テーブルＷＴまたは「基板サポート」が基本的に固定されたまま、放射ビームに付与されたパターン全体が、ターゲット部分Ｃ上に一度に投影される（すなわち、単一静止露光）。次いで、異なるターゲット部分Ｃを露光することができるように、基板テーブルＷＴまたは「基板サポート」が、Ｘおよび／またはＹ方向に移動される。ステップモードでは、露光フィールドの最大サイズによって、単一静止露光で像形成されるターゲット部分Ｃのサイズが制限される。
【００３１】
[0036]  ２．スキャンモードでは、パターニングデバイスサポート（例えばマスクテーブル）ＭＴまたは「マスクサポート」、および基板テーブルＷＴまたは「基板サポート」が同期スキャンされるとともに、放射ビームに付与されたパターンが、ターゲット部分Ｃ上に投影される（すなわち、単一動的露光）。パターニングデバイス（例えばマスクテーブル）ＭＴまたは「マスクサポート」に対する基板テーブルＷＴまたは「基板サポート」の速度および方向は、投影システムＰＳの倍率（縮小率）および像の反転特性によって決まり得る。スキャンモードでは、露光フィールドの最大サイズによって、単一動的露光におけるターゲット部分の（非スキャン方向の）幅が制限され、スキャン運動の長さによって、ターゲット部分の（スキャン方向の）高さが決まる。
【００３２】
[0037]  ３．別のモードでは、パターニングデバイスサポート（例えばマスクテーブル）ＭＴまたは「マスクサポート」が、プログラマブルパターニングデバイスを保持した状態で基本的に固定されたままであり、基板テーブルＷＴまたは「基板サポート」が移動またはスキャンされるとともに、放射ビームに付与されたパターンがターゲット部分Ｃ上に投影される。このモードでは、一般にパルス放射源が使用され、基板テーブルＷＴまたは「基板サポート」が移動する毎にその後で、またはスキャン中に連続する放射パルスと放射パルスの間に、プログラマブルパターニングデバイスが必要に応じて更新される。この動作モードは、上記で言及したタイプのプログラマブルミラーアレイなどのプログラマブルパターニングデバイスを利用するマスクレスリソグラフィに、容易に適用することができる。
【００３３】
[0038]  上述の使用モードの組合せおよび／または変形、あるいは全く異なる使用モードを使用することもできる。
【００３４】
[0039]  図２は、全体が参照符号１で示される本発明の一実施形態による基板サポート用の位置決めデバイスの概略上面図を示す。位置決めデバイス１は、Ｙ方向に平行に延在する、位置決めデバイスの基部３に固定された固定子２、および固定子に沿って可動な（Ｙスライダとも呼ばれる）Ｙ並進器４をそのそれぞれが含んだ、２つのリニアＹモータを含む。
【００３５】
[0040]  基部３は、リソグラフィ装置のフレームに固定される。位置決めデバイス１はさらに、Ｘ方向に平行に延在する固定子５、および固定子５に沿って移動させることができる（Ｘスライダとも呼ばれる）Ｘ並進器６を含んだ、リニアＸモータを含む。Ｘモータの固定子５は、Ｘはり７に取り付けられ、Ｘはり７は、そのそれぞれの端部付近で、リニアＹモータの並進器４（Ｙスライダ）に固定される。Ｘ並進器６は、基板サポート９を取り付けることができるサポート部８に接続される。好ましくは、基板サポート９の全重量がサポート部８によって支えられることのないように、エアベッドが基板サポート９を支持するために設けられる。
【００３６】
[0041]  ＹモータおよびＸモータの構成は、２つのＹモータが縦材を形成し、Ｘモータが横材を形成したＨ字状であり、この構成はしばしばＨドライブと呼ばれる。
【００３７】
[0042]  Ｘ並進器およびＹ並進器の摺動支持は、各並進器内の流体ベアリング構成（以後流体ベアリングとも呼ばれる）によって得られる。次に、Ｘ並進器の摺動支持についてより詳細に論じる。
【００３８】
[0043]  図３は、Ｘモータの、図２の線Ｉ−Ｉに沿った断面を示す。断面Ｉ−Ｉは、固定子５、Ｘ並進器６、およびＸはり７を詳細に示す。基板サポート９を支持するように構成されたサポート部８は、想像線(ghost line)として示されている。
【００３９】
[0044]  固定子５は、上部５ａおよび下部５ｂを含み、それらの間に、Ｘ並進器６の可動モータ部１１が構成される。可動モータ部１１には、リニアＸモータを冷却するように構成された冷却チャネル１２が設けられる。
【００４０】
[0045]  可動モータ部１１の一方の端部（図３の右側）のところに、サポート部８が接続される。可動モータ部１１の他方の端部のところで、Ｘ並進器６がＸはり７内に延在し、４つのエアベアリングアーム１３を含む。ｙ方向の力に対処するためのエアベアリングを形成すると同時に、Ｘはり７および固定子５に対するＸ並進器６の非接触摺動移動を可能にするために、ベアリングアーム１３とＸはり７が、Ｘ並進器６とＸはり７の内面との間にエアベアリング面を有するエアベアリング構成を形成する。ベアリング面は、Ｘはり７からＸ並進器６に正のｙ方向に力を非接触伝達するための４つの第１のベアリング面１４ａ、１４ｂを含み、さらに、４つの第２のベアリング面１５ａ、１５ｂが、反対のｙ方向に力を非接触伝達するために設けられる。
【００４１】
[0046]  さらに、可動モータ部１１の両側には、正および負のＺ方向の力に対処するために、エアベアリング１６がＸはり７とＸ固定子６との間に設けられる。
【００４２】
[0047]  エアベアリング構成の第１の４つのベアリング面１４ａ、１４ｂは、互いに実質的に平行に設けられ、４つのベアリングアーム１３による構造のため離隔した関係で構成された２つのベアリング面１４ａ、１４ｂの２つの対を形成する。同様に、エアベアリング構成の４つの第２のベアリング面１５ａ、１５ｂも、互いに実質的に平行に設けられ、離隔した関係で構成された２つのベアリング面１５ａ、１５ｂの２つの対を形成する。この構成により、ある一定の寸法内、具体的には既知のＸはり７の寸法内に、ベアリング面の比較的大きな面積を設けることが可能になる。
【００４３】
[0048]  図３に示す４つの第１のベアリング面１４ａ、１４ｂの組合せは、同じ面積をカバーする１つのベアリング面よりも大きな力をもたらすことができる。というのも、これらのベアリング面が、反力をそれらがもたらすことのできる方向に離隔されているためである。その結果、同じ圧力において、より大きな力をこのベアリング構成によってもたらすことができるが、Ｘはり７の外部寸法は、図６に示すＸ並進器１０６とＸはり１０７との間の従来技術のベアリング構成に比べて増大させる必要がない。
【００４４】
[0049]  反対のｙ方向についてもやはり、同じＸはり寸法内に設けられた単一のベアリング面の場合と同様に、より大きなエアベアリング面が４つの第２のベアリング面１５ａ、１５ｂによって形成される。
【００４５】
[0050]  Ｙ方向の増大したエアベアリング面により、Ｘはりの寸法を大きくせずに、Ｘはりのエアベアリング構成においてＹ方向のより高い加速度に対処することができる。
【００４６】
[0051]  同様に、上部の第１のベアリング面１４ａと、下部の第２のベアリング面１５ｂとが相まって、ｘ軸の周りの第１の回転方向Ｒｘに、図６に示す同じＸはり寸法内の単一のベアリング面の場合よりも大きなトルクをもたらすことができる。また同様に、下部の第１のベアリング面１４ｂと、上部の第２のベアリング面１５ａとが相まって、ｘ軸の周りの反対の回転方向Ｒｘに、同じＸはり寸法内の単一のベアリング面の場合よりも大きなトルクをもたらすことができる。
【００４７】
[0052]  したがって、増大したエアベアリング面により、Ｘはりの寸法を大きくせずに、Ｘはりのエアベアリング構成においてＲｚ方向のより高い加速度に対処することができる。
【００４８】
[0053]  ｙ方向およびｚ方向に対するエアベアリング構成を設けることによって、非常に小さな摩擦を伴う、Ｘ並進器６とＸはり７との間のＸ方向の摺動移動が可能になり得ると同時に、基板サポート９を加速させるために、大きな加速力および／またはトルクを、Ｙモータによって加速されるＸはり７からサポート部８に接続されたＸ並進器６に伝達することができる。
【００４９】
[0054]  一代替構成でもやはり、１つもしくは複数の第１のベアリング面１４ａ、１４ｂおよび／または１つもしくは複数の第２のベアリング面１５ａ、１５ｂを設けることができ、それにより、少なくとも２つのベアリング面が、単一方向の力に反作用するために、離隔した関係で設けられる。そのような実施形態が、図４に示されている。Ｘ並進器６が、４つのベアリングアームを含む。Ｘはり７およびベアリングアーム１３は、第１のベアリング面１４ａ、１４ｂが４つあるが、ベアリング面１５ａ、１５ｂが２つしかないように設計される。その結果、Ｘはり７からＸ並進器６に伝達することができる力は、負のｙ方向よりも正のｙ方向の方が大きくなる。というのも、正のｙ方向について、第１のベアリング面１４ａ、１４ｂの面積が、第２のベアリング面１５ａ、１５ｂの面積の約２倍であるためである。そのような実施形態は、より大きな加速度が一方向にしか生じない場合に、適用することができる。
【００５０】
[0055]  図３の実施形態では、第１のベアリング面１４ａ、１４ｂおよび第２のベアリング面１５ａ、１５ｂが、ベアリング構成が実質的に正または負のｙ方向のみの力に反作用することができるように、ｙ方向に平行である軸Ａ−Ａに垂直に構成される。一代替実施形態では、第１および／または第２のベアリング面のうち１つまたは複数が、ベアリング面がＺ成分も有するように軸Ａ−Ａに対して斜めに構成される。ベアリング面を軸Ａ−Ａに対して対称にもすることによって、自動的に中心に戻るエアベアリング構成を得ることができ、すなわち、Ｘはり７とＸ並進器６との間でベアリング面１４ａ、１４ｂまたは１５ａ、１５ｂ上にガス圧力が存在するときに、Ｘ並進器６およびＸはりが軸Ａ−Ａに対してもアライメントされる。そのような実施形態の一例が、図５に示されている。
【００５１】
[0056]  先に、Ｘ並進器６のベアリング構成について詳細に説明してきた。類似の構造を使用して、固定子２上のｙ並進器４の摺動支持を行うことができる。方向ｘ、ｙ、およびｚは、基板テーブル９を移動させることができる主方向を示すために使用されている。また、上部のという用語および下部のという用語は、異なるベアリング面を示すために使用されている。これらの方向および用語は、指示的なものであり、かつ説明のために使用したにすぎないと見なすべきである。本発明の一実施形態は、これらの方向のシステムに限定されず、任意の位置決めデバイスで使用して、並進器と固定子エレメントとの間の摺動移動の可能性を実現することができる。また、上部のという用語および下部のという用語は、それぞれに対応する部分を示すために使用されているにすぎず、本発明をそれぞれに対応する位置または向きに限定するものと見なすべきではない。
【００５２】
[0057]  ＩＣの製造におけるリソグラフィ装置の使用に対して、具体的な言及がこの説明において行われることがあるが、本明細書に記載のリソグラフィ装置には、集積光学システム、磁気ドメインメモリ用の誘導パターンおよび検出パターン、フラットパネルディスプレイ、液晶ディスプレイ（ＬＣＤ）、薄膜磁気ヘッド等の製造など、他の適用分野があることを理解されたい。そのような代替適用分野の文脈では、本明細書において「ウェーハ」または「ダイ」という用語を使用している場合、それぞれ、より一般的な用語である「基板」または「ターゲット部分」と同義語と見なすことができることが、当業者には理解されよう。本明細書において言及される基板は、露光前または後に、例えばトラック（一般に、レジストの層を基板に与え、露光後のレジストを現像するツール）、メトロロジーツール、および／またはインスペクションツール内で処理することができる。適用可能な場合、本明細書における開示は、そのような基板処理ツール、および他の基板処理ツールに適用することができる。さらに、例えば多層ＩＣを形成するために、基板を２回以上処理することもでき、したがって、本明細書で使用される基板という用語は、複数の処理済みの層をすでに含む基板を指すこともある。
【００５３】
[0058]  光リソグラフィの文脈において、本発明の諸実施形態の使用に対して、上記で具体的な言及を行ってきたかもしれないが、本発明を、他の適用分野、例えばインプリントリソグラフィで使用することができ、文脈が許容する場合は、光リソグラフィに限定されないことが理解されよう。インプリントリソグラフィでは、パターニングデバイス内のトポグラフィが、基板上に形成されるパターンを画定する。パターニングデバイスのトポグラフィは、基板に供給されたレジストの層へと押し込むことができ、その後すぐに、レジストが、電磁放射、熱、圧力、またはそれらの組合せを印加することによって硬化される。レジストが硬化された後、パターニングデバイスは、レジスト中にパターンを残した状態でそこから移される。
【００５４】
[0059]  本明細書で使用される「放射」および「ビーム」という用語は、（例えば、３６５、２４８、１９３、１５７もしくは１２６ｎｍの波長、またはその近くの波長を有する）紫外（ＵＶ）放射、および（例えば、５〜２０ｎｍの範囲の波長を有する）極端紫外（ＥＵＶ）放射、ならびにイオンビームまたは電子ビームなどの粒子ビームを含む、あらゆるタイプの電磁放射を包含する。
【００５５】
[0060]  「レンズ」という用語は、文脈が許容する場合、屈折光学コンポーネント、反射光学コンポーネント、磁気光学コンポーネント、電磁光学コンポーネント、および静電光学コンポーネントを含む、さまざまなタイプの光学コンポーネントのいずれか１つまたは組合せを指すことがある。
【００５６】
[0061]  以上、本発明の具体的な諸実施形態について上記で説明してきたが、本発明を、説明した以外の方式で実施できることが理解されよう。例えば、本発明は、上記で開示した方法を記述した機械読取可能命令の１つもしくは複数のシーケンスを含むコンピュータプログラムの形、またはそのようなコンピュータプログラムが中に記憶されたデータ記憶媒体（例えば、半導体メモリ、磁気または光ディスク）の形をとることができる。
【００５７】
[0062]  上記の説明は、限定するものではなく、例示のためのものである。したがって、添付の記載した特許請求の範囲に記載の範囲から逸脱することなく、説明したように本発明に対して修正を行えることが、当業者には明らかであろう。
【図１】
2010067949.tif 000003
【図２】
2010067949.tif 000004
【図４】
2010067949.tif 000005
【図５】
2010067949.tif 000006
【図３】
2010067949.tif 000007
【図６】
2010067949.tif 000008
【外国語明細書】
2010067949000001.pdf